(57)【要約】【課題】  所望のデザインに応じた仕上がり線を形成するための外周縁を備えるテンプレートの当該外周縁に沿って転動させる際に布地の凹凸などに起因してテンプレートの厚み方向に相対動しても、当該テンプレートから外れ難い縫代規定線形成補助部材を提供する。【解決手段】  本発明の縫代規定線補助部材２は、デザインに応じた形状の外周縁１１を備えるテンプレート１の当該外周縁１１に沿って転動する円板状の本体部２１と、筆記具Ｐの筆先を挿通するための中心貫通孔２４と、テンプレート１の厚み方向への本体部２１の相対動を制限するための制限手段２２，２３とを備えている。【選択図】  図１
2005314826.tif 000002
【特許請求の範囲】
【請求項１】
デザインに応じた形状の外周縁を備えるテンプレートの当該外周縁に沿って転動する円板状の本体部と、筆記具の筆先を挿通するための中心貫通孔とを備える縫代規定線形成補助部材であって、
上記テンプレートの厚み方向への上記本体部の相対動を制限するための制限手段をさらに備えることを特徴とする、縫代規定線形成補助部材。
【請求項２】
上記制限手段は、上記本体部の軸方向の一端部に設けられた第１フランジと、上記本体部の軸方向の他端部に設けられた第２フランジとを有する、請求項１に記載の縫代規定線形成補助部材。
【請求項３】
上記第１フランジの外径は、上記第２フランジの外径より大きい、請求項２に記載の縫代規定線形成補助部材。
【請求項４】
上記第１フランジの外周部および／または上記第２フランジの外周部には、テーパ面が設けられており、
上記テーパ面は、上記各フランジの厚み方向における上記本体部から離反する方向に向かうほど上記各フランジの半径方向外方に変位する、請求項２または３に記載の縫代規定線形成補助部材。
【請求項５】
上記本体部の厚み寸法は、上記テンプレートにおける上記外周縁の厚み寸法と略同一である、請求項２ないし４のいずれかに記載の縫代規定線形成補助部材。
【請求項６】
上記中心貫通孔の一端部および／または他端部は、上記本体部側に向かって縮径するテーパ状である、請求項１ないし５のいずれかに記載の縫代規定線形成補助部材。
【請求項７】
請求項１から６のいずれかに記載の縫代規定線形成補助部材と、
デザインに応じた形状の外周縁を備えるテンプレートと、を含むことを特徴とする、縫代規定線形成補助セット。
【請求項８】
上記テンプレートは、その厚み方向に延びる複数の貫通孔を有している、請求項７に記載の縫代規定線形成補助セット。
【発明の詳細な説明】
【技術分野】
【０００１】
本発明は、デザインに応じた仕上がり線を形成するための外周縁を備えるテンプレートを用いて、縫代を規定するための縫代規定線を形成するのを補助するための縫代規定線形成補助部材およびこの補助部材を含む縫代規定線形成補助セットに関する。
【背景技術】
【０００２】
キルティングやパッチワークなどにより、タペストリー、ポーチ、クッションおよびベットカバーなどを製作する場合、作業者は、まず所望のデザインに応じた形状を有するテンプレートを用意する。このテンプレートは、筆記具（例えば、チャコペル（クロバー株式会社の商標、以下同じ。）や鉛筆）を用いて、布地に所望のデザインを描くのを補助するためのものであり、縫代が加味されているものと、縫代が加味されていないものとがある。縫代が加味されているテンプレートを使用して布地に所望のデザインを描く場合、当該布地には縫代規定線（切断基準線）を適切に描くことができるものの、仕上がり線（縁取り線）を描くことができない。このような場合、作業者の経験や感覚によって縫代の範囲を見越して、仕上がり線を想定して作業を行う必要がある。したがって、作業者が初心者などの場合は、的確に理想の仕上がり線を想定することが困難であるため、所望のデザインを適切に形成することが困難となる。一方、縫代が加味されていないテンプレートを使用して布地に所望のデザインを描く場合、当該布地には仕上がり線を適切に描くことができるものの、縫代規定線を描くことができない。このような場合、作業者の経験や感覚によって縫代の範囲を見越して、縫代規定線を想定して作業を行う必要がある。したがって、作業者が初心者などの場合は、的確に理想の縫代規定線を想定することが困難であるため、適切な縫代を確保することが困難となるのに加え、適切な縫代規定線を描くことなく切断作業を行う必要があるため、適切な切断作業を行うことがより困難となり作業効率が低下する。以上のことから、作業者が初心者などの場合でも所望のデザインを的確に形成し、かつ、より効率的に作業を行うために、布地には仕上がり線および縫代規定線の両方を適切に描くことが望まれる。
【０００３】
そこで、布地に仕上がり線および縫代規定線の両方を適切に描くための方法としては、縫代が加味されているテンプレートと、縫代が加味されていないテンプレートとの２つのテンプレートを使用する方法が考えられる。しかしながら、テンプレートは、通常、所望のデザインに応じて、作業者が自作するものであり、１つのテンプレートを作成するには非常に労力を要する。したがって、１つの作品を作製するごとに、２つのテンプレートを用意するのは、より一層手間がかかり、作業効率が悪い。また、２つのテンプレートの位置決めを適切に行うことも困難である。
【０００４】
そこで、１つのテンプレートにより布地に仕上がり線および縫代規定線の両方を描くための方法としては、図８および図９に示す縫代規定線形成補助部材（以下、「コマ」と称す。）８を使用する方法がある。コマ８は、筆記具Ｐの筆先を挿通するための貫通孔８１を有し、所望のデザインに応じた仕上がり線ＦＬを形成するための外周縁９１を備えるテンプレート９の当該外周縁９１に沿って転動させる円板状部材である。したがって、この方法によると、筆記具Ｐの筆先をテンプレート９の外周縁９１に沿って動かすことにより仕上がり線ＦＬを描くことができるのに加え、貫通孔８１に筆記具Ｐの筆先を挿通させた状態のコマ８をテンプレート９の外周縁９１に沿って転動させることにより縫代規定線ＮＬも描くことができる。
【０００５】
しかしながら、コマ８は、テンプレート９の外周縁９１に沿って転動させる際に布地Ｃの凹凸などに起因してガタツキ（テンプレート９の厚み方向（矢印ＡＢ方向）への相対動）が生じると、コマ８がテンプレート９の外周縁９１から容易に外れてしまうため、その度にコマ８を所定の位置に配置し直す必要があり、作業効率が悪い。特に、所望のデザインに応じた形状に加工し易くするために、比較的厚みの薄いテンプレート９を使用する場合において、この問題が顕著となる。
【発明の開示】
【発明が解決しようとする課題】
【０００６】
本発明は、このような事情のもとで考え出されたものであって、所望のデザインに応じた仕上がり線を形成するための外周縁を備えるテンプレートの当該外周縁に沿って転動させる際に布地の凹凸などに起因してテンプレートの厚み方向に相対動しても、当該テンプレートから外れ難い縫代規定線形成補助部材およびこの補助部材を備える縫代形成キットを提供することを課題とする。
【課題を解決するための手段】
【０００７】
本発明の第１の側面によると、縫代規定線形成補助部材が提供される。この縫代規定線形成補助部材は、デザインに応じた形状の外周縁を備えるテンプレートの当該外周縁に沿って転動する円板状の本体部と、筆記具の筆先を挿通するための中心貫通孔とを備えるものであって、テンプレートの厚み方向への本体部の相対動を制限するための制限手段をさらに備えることを特徴としている。
【０００８】
このような構成によると、筆記具の筆先を中心貫通孔に挿通して、この筆先を布地に当接させた状態で、縫代規定線形成補助部材をテンプレートの外周縁に沿って転動させることにより布地に縫代規定線を形成する場合において、布地の凹凸などに起因するテンプレートの厚み方向への本体部の相対動を制限手段により制限することが可能となる。したがって、縫代規定線形成補助部材がテンプレートの外周縁から当該厚み方向に外れ難くなるため、この外れに起因する作業効率の低下が抑制される。
【０００９】
好ましい実施の形態としては、制限手段は、本体部の軸方向の一端部に設けられた第１フランジと、本体部の軸方向の他端部に設けられた第２フランジとを有する。第１および第２フランジは、円板状であり、その外径はいずれも本体部の外径より大きい。このような構成によると、本体部より外径が大きい第１および第２フランジをテンプレートの外周縁に接触させることにより、テンプレートの厚み方向への本体部の相対動を制限することが可能となる。したがって、縫代規定線形成補助部材がテンプレートの外周縁から当該厚み方向に離れ難くなるため、この外れに起因する作業効率の低下が抑制される。
【００１０】
好ましくは、第１フランジの外径は、第２フランジの外径より大きい。このような構成によると、外径が比較的大きい第１フランジを布地などの縫代規定線形成対象部材に当接させて使用することにより、テンプレートと第１フランジとの接触領域を比較的大きく確保することが可能となる。したがって、縫代規定線形成対象部材の凹凸などに起因する縫代規定線形成対象部材の浮き上がり（テンプレートの厚み方向上方への相対動）をより効果的に抑制することが可能となる。また、第１フランジと第２フランジとの間に外径差が生じることにより、第１および第２フランジの外径が略同一の場合に比べて、第１フランジと第２フランジとの間へのテンプレートの外周縁の誘導をより容易に行うことが可能となる。したがって、縫代規定線を形成する際の作業効率を高めることが可能となる。
【００１１】
好ましくは、第１フランジの外周部および／または第２フランジの外周部には、テーパ面が設けられており、このテーパ面は、各フランジの厚み方向における本体部から離反する方向に向かうほど各フランジの半径方向外方に変位する。このような構成によると、上記テーパ面を設けない場合に比べて、第１フランジと第２フランジとの間のテンプレートの導入口をより大きく確保することが可能となる。したがって、第１フランジと第２フランジとの間へのテンプレートの外周縁の誘導をより容易に行うことが可能となり、縫代規定線を形成する際の作業効率を高めることが可能となる。
【００１２】
好ましくは、本体部の厚み寸法は、テンプレートにおける外周縁の厚み寸法と略同一である。このような構成によると、テンプレートの厚み方向への本体部の相対動をほぼ無くすことが可能となる。したがって、縫代規定線形成補助部材がテンプレートの外周縁から当該厚み方向によりいっそう外れ難くなるため、この外れに起因する作業効率の低下がより抑制される。また、本体部が相対動することに起因する筆記具のガタツキ（テンプレートの厚み方向への相対動）が抑制されるため、縫代規定線をより適切に形成することが可能となる。
【００１３】
好ましくは、中心貫通孔の一端部および／または他端部は、本体部側に向かって縮径するテーパ状である。このような構成によると、中心貫通孔における筆記具の差込口をより大きく確保することが可能となる。したがって、中心貫通孔への筆記具の筆先の誘導をより容易に行うことが可能となり、縫代規定線を形成する際の作業効率を高めることが可能となる。
【００１４】
本発明の第２の側面によると、縫代規定線形成補助セットが提供される。この縫代規定線形成補助セットは、本発明の第１の側面において開示されたいずれかの縫代規定線形成補助部材と、デザインに応じた形状の外周縁を備えるテンプレートとを含むことを特徴としている。このような構成によると、本発明の第１の側面に示したものと同様の効果を奏することができるのに加え、初心者にとってデザインに応じた形状の外周縁を精度よく形成することが困難で、かつ、作製するのに手間もかかるテンプレートをすでに備えていることにより、初心者でもより適切かつ容易に所望のデザインに応じた仕上がり線および縫代規定線を形成することが可能となる。
【００１５】
好ましくは、テンプレートは、厚み方向に延びる複数の貫通孔を有している。このような構成によると、キルティングなどにおいて通常使用されるまち針などを利用して、テンプレートを布地上の所定位置に固定することが可能となる。より具体的には、例えばまち針の針先が挿入可能な作業台上に布地を載置した後、この布地上の所定位置にテンプレートを載置し、このテンプレートの貫通孔を介してまち針を布地および作業台に連挿通することによりテンプレートを布地上の所定位置に位置決め固定することが可能となる。したがって、仕上がり線および縫代規定線を形成する際にテンプレートが布地上の所定位置からずれるのを防ぐことが可能となり、より適切に仕上がり線および縫代規定線を形成することが可能となる。
【００１６】
本発明のその他の利点および特徴については、以下に行う発明の実施形態の説明から、より明らかとなるであろう。
【発明を実施するための最良の形態】
【００１７】
本発明の好ましい実施形態に係る縫代規定線形成補助セット（以下、「補助セット」と略す。）Ｓについて、図１〜図７を参照しつつ具体的に説明する。
【００１８】
補助セットＳは、図１に示すように、テンプレート１、およびコマ２を含んでおり、筆記具Ｐを用いて布地Ｃに最終的な仕上がり形状の輪郭を示す仕上がり線ＦＬと、縫代を規定するための縫代規定線ＮＬとを描くのを補助するためのものである。筆記具Ｐとしては、布地Ｃに各線ＦＬ，ＮＬを描くことが可能なものであればよく、チャコペルや鉛筆、ボールペンなどが挙げられるが、中でも描いた各線ＦＬ，ＮＬを後で容易に消すことが可能なチャコペルや鉛筆が好ましく用いられる。布地Ｃとしては、ハワイアンキルトを作成する場合のキルティング用の表布（トップ布）などが挙げられるが、これには限られない。なお、作業台Ｗとしては、柔軟性があり、かつ、針などが挿入可能なアイロン台などが挙げられる。
【００１９】
テンプレート１は、図２に示すように、外周縁１１、および複数の貫通孔１２を有しており、筆記具Ｐを用いて布地Ｃに所望のデザインに応じた仕上がり線ＦＬを描くのを補助するためのものである。
【００２０】
外周縁１１は、その平面視形状が所望のデザイン（縫代含まず）に応じた形状に構成されている。外周縁１１の厚み寸法ｔ1（図１参照）は、筆記具Ｐの筆先を布地Ｃに当接させつつ、この筆記具Ｐを外周縁１１に沿って転動させることが可能であればよく、例えば０．３〜０．７ｍｍである。本実施形態における外周縁１１は、予め形成されているため、初心者でも適切かつ容易に所望のデザインに応じた仕上がり線ＦＬ、ひいては縫代規定線ＮＬを形成することができる。なお、外周縁１１を自ら形成する方法の一例としては、所望のデザインが描かれた型紙などの上に透明なプレートを載置し、このプレートにデザインを書き写した後、このデザインに沿ってプレートを切断する方法が挙げられる。このように所望の外周縁１１を有するテンプレート１を作業者自らが形成する場合は、鋏やカッターなどにより外周縁１１を容易に加工することができる程度に厚み寸法ｔ1を設定するのが好ましい。
【００２１】
複数の貫通孔１２は、図１によく表れているように、それぞれテンプレート１の厚み方向（矢印ＡＢ方向）に延びるように設けられている。各貫通孔１２の孔径Ｄ1は、一般的な裁縫道具の１つであるまち針Ｍの針部分を挿通させることが可能であればよく、例えば１〜５ｍｍである。各貫通孔１２の形成位置や形成個所数、形状などは、本実施形態において示すものには限られず、テンプレート１が上記所定位置から位置ずれするのを防ぐ目的で必要に応じて任意に設定すればよい。
【００２２】
コマ２は、図３および図４に示すように、本体部２１、第１フランジ２２、第２フランジ２３、および中心貫通孔２４を有しており、筆記具Ｐを用いて布地Ｃに上記縫代規定線を描くのを補助するためのものである。本実施形態におけるコマ２は、２つの部材を組み合わせて形成されているが、一体成形してもよいし、３つ以上の部材を組み合わせてもよい。コマ２の素材としては、適当な強度を持つ樹脂（例えば、ポリアセタール樹脂）、あるいは金属（例えば、真鍮）などが挙げられる。
【００２３】
本体部２１は、テンプレート１の外周縁１１に沿って転動する円板状の部分である。本体部２１の厚み寸法ｔ2（図４（ｂ）参照）は、外周縁１１の厚み寸法ｔ1（図１参照）と略同一である。また、本体部２１の外半径Ｄ2は、仕上がり線ＦＬと縫代規定線ＮＬとの距離（縫代幅）と略同一であり、例えば２〜５ｍｍである。本実施形態における本体部２１は、図１によく表れているように、第１フランジ２２と連続する第１環状部２１１と、第２フランジと連続する第２環状部２１２とを相互に嵌合させて形成されているが、これには限られず、例えば図１における第１環状部２１１と第２環状部２１２とを一体にしてもよい。また、本実施形態における厚み寸法ｔ2は、外周縁１１の厚み寸法ｔ1と略同一としたが、これには限られず、厚み寸法ｔ1以上で任意に設定すればよい。
【００２４】
第１フランジ２２は、図４（ｂ）によく表れているように、本体部２１の軸方向（矢印ＡＢ方向）の一端部（矢印Ｂ方向側端部）に設けられており、本体部２１と同心の円板状の部分である。第１フランジ２２の外周部には、テーパ面２２１が設けられている。このテーパ面２２１は、第１フランジ２１の厚み方向（矢印ＡＢ方向）における矢印Ｂ方向に向かうほど、第１フランジ２２の半径方向外方に変位するように構成されており、その角度Ｅ1は、例えば１５〜４５度である。第１フランジ２２の最大外径Ｄ3は、後述する第２フランジ２３の最大外径Ｄ4以上であり、例えば１５〜２０ｍｍである。このように第１フランジ２２の最大外径Ｄ3を比較的大きくすることにより、テンプレート１と第１フランジ２２との接触領域を比較的大きく確保することができるのに加え、第１フランジ２２と第２フランジ２３との間に外径差が生じることにより、第１フランジ２２と第２フランジ２３との間へのテンプレート１の外周縁１１の誘導をより容易に行うことができる。
【００２５】
第２フランジ２３は、本体部２１の軸方向（矢印ＡＢ方向）の他端部（矢印Ａ方向側端部）に設けられており、本体部２１と同心の円板状の部分である。第２フランジ２３の外周部には、テーパ面２３１が設けられている。このテーパ面２３１は、第２フランジ２３の厚み方向（矢印ＡＢ方向）における矢印Ａ方向に向かうほど、第２フランジ２３の半径方向外方に変位するように構成されており、その角度Ｅ2は、例えば４５〜７５度である。第２フランジ２３の最大外径Ｄ4は、例えば１０〜１５ｍｍである。
【００２６】
中心貫通孔２４は、第１フランジ２２、本体部２１、および第２フランジ２３の軸心を中心とする貫通孔であり、筆記具Ｐ（図１参照）の筆先が挿通可能な構成となっている。また、中心貫通孔２４は、矢印ＡＢ方向に垂直な断面形状が円形であり、その一端部（矢印Ｂ方向側端部）は矢印Ａ方向に向かって縮径するテーパ状であり、その他端部（矢印Ａ方向側端部）は矢印Ｂ方向に向かって縮径するテーパ状である。このようなテーパを設けることにより、中心貫通孔２４における筆記具Ｐの差込口をより大きく確保することができるため、中心貫通孔２４への筆記具Ｐの筆先の誘導をより容易に行うことができる。中心貫通孔２４の中間部の孔径Ｄ5は、例えば１．５〜３．０ｍｍであり、中心貫通孔２４の一端部および他端部におけるテーパの最大孔径Ｄ6は、例えば２．５〜４．０ｍｍである。また、中心貫通孔２４の一端部および他端部におけるテーパの角度Ｅ3は、例えば１５〜４５度である。
【００２７】
以下に、図１、図５および図６を参照して、補助セットＳおよび筆記具Ｐを用いて布地Ｃに仕上がり線ＦＬおよび縫代規定線ＮＬを描く際の動作について説明する。なお、本実施形態においては、補助セットＳのテンプレート１の位置決め固定を補助するためのものとして、まち針Ｍと、このまち針Ｍの針先が挿入可能な作業台Ｗを使用する。
【００２８】
まず、図５（ａ）に示すように、作業台Ｗ上に布地Ｃを載置する。なお、図面を簡略化する観点から、図面上、布地の重なりがない状態で載置されているように描かれているが、必要に応じて折り畳んだ状態で載置してもよい。
【００２９】
次に、図５（ｂ）に示すように、作業台Ｗ上に載置された布地Ｃの所定位置にテンプレート１を載置した後、まち針Ｍをテンプレート１の各貫通孔１２を介して布地Ｃおよび作業台Ｗに連挿通する。これにより、布地Ｃに対してテンプレート１を位置決め固定することができるため、テンプレート１が上記所定位置から位置ずれするのを防ぐことができる。また、まち針Ｍが貫通孔１２における矢印ＡＢ方向の一端部および他端部の２点で接するように、まち針Ｍの差込角度Ｅ4を調整することによって、テンプレート１の固定状態をより安定化することができる。
【００３０】
次に、図６（ａ）に示すように、筆記具Ｐの筆先を布地Ｃに当接させつつ、この筆記具Ｐの筆先を位置決め固定されたテンプレート１の外周縁１１に沿って摺動させる。これにより、布地Ｃに所望のデザインに応じた仕上がり線ＦＬを描くことができる。
【００３１】
次に、図６（ｂ）に示すように、コマ２の第１フランジ２２が布地Ｃに当接させつつ、位置決め固定されたテンプレート１の外周縁１１にコマ２の本体部２１を当接させて、コマ２が外周縁１１に沿って転動可能な状態とする。
【００３２】
次に、図１に示すように、コマ２の中心貫通孔２４に対して矢印Ｂ方向に筆記具Ｐを挿通し、その筆先を布地Ｃに当接させた状態で、コマ２を外周縁１１に沿って転動させる。これにより、仕上がり線ＦＬからコマ２の本体部２１の外半径Ｒを隔てた位置の布地Ｃに縫代規定線ＮＬを描くことができる。つまり、本体部２１の外半径Ｒを調整することにより、仕上がり線ＦＬの周囲に所望の縫代幅を隔てて縫代規定線ＮＬを適切に描くことができる。また、縫代規定線ＮＬを描く際に、布地Ｃの凹凸などに起因してコマ２の本体部２１が矢印ＡＢ方向に相対動したとしても、テンプレート１が各フランジ２２，２３と接触するため、この相対動は制限される。以上のようにして、仕上がり線ＦＬおよび縫代規定線ＮＬは、布地Ｃに適切かつ作業効率よく形成される。
【００３３】
以上、本発明の具体的な実施形態について説明したが、本発明はこれに限定されるものではなく、発明の思想から逸脱しない範囲内で種々の変更が可能である。
【００３４】
例えば、コマ２の本体部２１がテンプレート１の外周縁１１に対して矢印ＡＢ方向に相対動するのを制限するための制限手段として、第１フランジ２２に代えて、図７に示すような構造を有する制限部２２’を設けるようにしてもよい。制限部２２’は、本体部２１と同心の環状部２２２と、本体部２１から環状部２２２まで本体部２１の半径方向外方に延びる複数の支持部２２３とを有している。このような構成によると、布地Ｃなどに対する接触面積が低下するため、テンプレート１の外周縁１１に沿って転動させる際の摩擦抵抗を低減することができる。したがって、コマ２’は、コマ２より滑らかに転動させることができるため、より作業効率が高められるのに加え、軽量化も図ることができる。
【図面の簡単な説明】
【００３５】
【図１】本発明の実施形態に係る縫代規定線形成補助セットの一例を示す要部拡大断面図である。
【図２】図１に示す縫代規定線形成補助セットのテンプレートを示す平面図である。
【図３】図１に示す縫代規定線形成補助セットのコマを示す斜視図である。
【図４】図１に示す縫代規定線形成補助セットのコマを示す図であり、（ａ）は平面図、（ｂ）は側面図である。
【図５】図１に示す縫代規定線形成補助セットにより布地に仕上がり線および縫代規定線を形成する際の動作を説明するための説明図であり、（ａ）は作業台に布地を載置した状態、（ｂ）は布地の所定位置にテンプレートを位置決め固定した状態を示す。
【図６】図１に示す縫代規定線形成補助セットにより布地に仕上がり線および縫代規定線を形成する際の動作を説明するための説明図であり、（ａ）はテンプレートの外周縁に沿って筆記具により仕上がり線を形成している状態、（ｂ）はテンプレートの外周縁に沿ってコマを転動可能とした状態を示す。
【図７】本発明の実施形態に係る縫代規定線形成補助セットに含まれるコマの他の例を示す斜視図である。
【図８】従来のテンプレートおよびコマの一例を示す要部拡大断面図である。
【図９】図８に示すコマを示す斜視図である。
【符号の説明】
【００３６】
Ｓ    縫代規定線形成補助セット
Ｐ    筆記具
ＦＬ    仕上がり線
ＮＬ    縫代規定線
１    テンプレート
２    コマ（縫代規定線形成補助部材）
１１    外周縁
１２    貫通孔
２１    本体部
２２    第１フランジ
２３    第２フランジ
２４    中心貫通孔
【図１】
2005314826.tif 000003
【図２】
2005314826.tif 000004
【図３】
2005314826.tif 000005
【図４】
2005314826.tif 000006
【図５】
2005314826.tif 000007
【図６】
2005314826.tif 000008
【図７】
2005314826.tif 000009
【図８】
2005314826.tif 000010
【図９】
2005314826.tif 000011